(57)【要約】【課題】電磁波をより確実に遮蔽しクロストークを低減することができるコネクタを提供する。【解決手段】プラグコネクタ１Ａは、ケーブルに接続されて、相手コネクタと嵌合されるコネクタである。ハウジング１０Ａは、絶縁性の部材である。コンタクト列は、同軸ケーブル２に接続されるとともに相手コネクタと嵌合した状態で相手コネクタの信号伝送用のコンタクトと接続する導電性の第１のコンタクトと、相手コネクタの接地用コンタクトと接続する導電性の第２のコンタクト１１Ａｂとから成り、第１のコンタクトと第２のコンタクト１１Ａｂとがハウジング１０Ａ内で一列に配置されるように構成されている。導電性のシェル１２Ａは、ハウジング１０Ａを覆うように配置され、嵌合した相手コネクタの導電性シェルと接続し、第２のコンタクト１１Ａｂに当接する。【選択図】図１０
2019009037.tif 000002
【特許請求の範囲】
【請求項１】
ケーブルに接続されて、相手コネクタと嵌合されるコネクタであって、
絶縁性のハウジングと、
前記ケーブルに接続されるとともに前記相手コネクタと嵌合した状態で前記相手コネクタの信号伝送用のコンタクトと接続する導電性の第１のコンタクトと、前記相手コネクタの接地用コンタクトと接続する導電性の第２のコンタクトとから成り、前記第１のコンタクトと前記第２のコンタクトとが前記ハウジング内で一列に配置されるように構成されたコンタクト列と、
前記ハウジングを覆うように配置され、嵌合した前記相手コネクタの導電性シェルと接続し、前記第２のコンタクトに当接する導電性のシェルと、
を備えるコネクタ。
【請求項２】
前記シェルは、
前記ハウジングを覆う本体と、
前記本体から前記第２のコンタクトに向かって張り出して前記第２のコンタクトと当接する板状片と、
を有する、
請求項１に記載のコネクタ。
【請求項３】
前記板状片は、弾性部材であり、
弾性力により、前記第２のコンタクトに押圧接触する、
請求項２に記載のコネクタ。
【請求項４】
前記板状片は、
前記第２のコンタクトに向かって凸状に折れ曲がった折曲部を有し、
前記折曲部で前記第２のコンタクトと押圧接触する、
請求項３に記載のコネクタ。
【請求項５】
前記折曲部は、
曲線状に折れ曲がった部分を有し、
曲線状に折れ曲がった部分で、前記第２のコンタクトと押圧接触する、
請求項４に記載のコネクタ。
【請求項６】
前記板状片は、
前記嵌合の際、前記第２のコンタクトに対する押圧力が強まるように、嵌合した前記相手コネクタの導電性シェルに当接して押圧される、
請求項３から５のいずれか一項に記載のコネクタ。
【請求項７】
前記ハウジングに、前記シェルと前記第２のコンタクトとの間に貫通孔又は切り欠きが設けられており、
前記板状片は、前記貫通孔又は前記切り欠きを通って、前記第２のコンタクトと当接する、
請求項２から６のいずれか一項に記載のコネクタ。
【請求項８】
前記コンタクト列において、
隣接して配列された差動信号を送信する２本の前記第１のコンタクトの両側にそれぞれ前記第２のコンタクトが配置されている、
請求項１から７のいずれか一項に記載のコネクタ。  
【発明の詳細な説明】
【技術分野】
【０００１】
本発明は、コネクタに関する。
【背景技術】
【０００２】
特許文献１には、プラグコネクタとリセプタクルコネクタとが嵌合可能なコネクタ装置であって、両コネクタが嵌合すると、プラグコネクタに設けられた導電性のシェルが、リセプタクルコネクタに設けられた接地用コンタクトに当接するものが開示されている。このコネクタ装置によれば、シェルと接地用コンタクトとの当接によって、信号伝送用コンタクトから放射される電磁波を遮蔽するとともにクロストークが低減される。
【先行技術文献】
【特許文献】
【０００３】
【特許文献１】特許第４８６６２２３号公報
【発明の概要】
【発明が解決しようとする課題】
【０００４】
上述のような電気コネクタ装置においては、プラグコネクタのシェルがリセプタクルコネクタの接地用コンタクトに当接してはじめて電磁波の遮蔽とクロストークの低減とが実現される。この場合、プラグコネクタのシェルとリセプタクルコネクタの接地用コンタクトとの接触位置は設計上限定されたものとなるので、信号の伝送線路の共振周波数の調整も困難となる。しかしながら、伝送される信号はますます高周波化しており、伝送線路の共振周波数を調整し易くして、より確実に電磁波の遮蔽とクロストークの低減を図ることが望まれている。
【０００５】
本発明は、上記実情に鑑みてなされたものであり、より確実に電磁波の遮蔽とクロストークの低減を図ることができるコネクタを提供することを目的とする。
【課題を解決するための手段】
【０００６】
上記目的を達成するために、本発明の第１の観点に係るコネクタは、
ケーブルに接続されて、相手コネクタと嵌合されるコネクタであって、
絶縁性のハウジングと、
前記ケーブルに接続されるとともに前記相手コネクタと嵌合した状態で前記相手コネクタの信号伝送用のコンタクトと接続する導電性の第１のコンタクトと、前記相手コネクタの接地用コンタクトと接続する導電性の第２のコンタクトとから成り、前記第１のコンタクトと前記第２のコンタクトとが前記ハウジング内で一列に配置されるように構成されたコンタクト列と、
前記ハウジングを覆うように配置され、嵌合した前記相手コネクタの導電性シェルと接続し、前記第２のコンタクトに当接する導電性のシェルと、
を備える。
【０００７】
この場合、前記シェルは、
前記ハウジングを覆う本体と、
前記本体から前記第２のコンタクトに向かって張り出して前記第２のコンタクトと当接する板状片と、
を有する、
こととしてもよい。
【０００８】
前記板状片は、弾性部材であり、
弾性力により、前記第２のコンタクトに押圧接触する、
こととしてもよい。
【０００９】
前記板状片は、
前記第２のコンタクトに向かって凸状に折れ曲がった折曲部を有し、
前記折曲部で前記第２のコンタクトと押圧接触する、
こととしてもよい。
【００１０】
前記折曲部は、
曲線状に折れ曲がった部分を有し、
曲線状に折れ曲がった部分で、前記第２のコンタクトと押圧接触する、
こととしてもよい。
【００１１】
前記板状片は、
前記嵌合の際、前記第２のコンタクトに対する押圧力が強まるように、嵌合した前記相手コネクタの導電性シェルに当接して押圧される、
こととしてもよい。
【００１２】
前記ハウジングに、前記シェルと前記第２のコンタクトとの間に貫通孔又は切り欠きが設けられており、
前記板状片は、前記貫通孔又は前記切り欠きを通って、前記第２のコンタクトと当接する、
こととしてもよい。
【００１３】
前記コンタクト列において、
隣接して配列された差動信号を送信する２本の前記第１のコンタクトの両側にそれぞれ前記第２のコンタクトが配置されている、
こととしてもよい。
【発明の効果】
【００１４】
本発明によれば、接地された導電性のシェルが、導電性の第２のコンタクトに当接する。これにより、第２のコンタクトとシェルとが電気的に接続された接地用の伝送線路がコネクタ内に形成され、信号の伝送線路の共振周波数を調整し易くなるので、より確実に電磁波の遮蔽とクロストークの低減を図ることができる。
【図面の簡単な説明】
【００１５】
【図１】本発明の実施の形態１に係るコネクタ装置の斜視図である。
【図２】プラグコネクタの構成を示す斜視図である。
【図３】リセプタクルコネクタの構成を示す斜視図である。
【図４】図４（Ａ）は、上部シェルの上面図である。図４（Ｂ）は、図４（Ａ）のＢ−Ｂ断面図である。
【図５】上面シェルを取り除いたプラグコネクタの上面図である。
【図６】同軸ケーブルと接続されたグランドバーの上面図である。
【図７】シェルに形成された板状片周辺の拡大図である。
【図８】シェルに形成された板状片周辺の上面図である。
【図９】図５のＣ−Ｃ断面に図４（Ａ）のＢ−Ｂ断面を組み合わせた図である。
【図１０】図２のＡ−Ａ断面図である。
【図１１】板状片とコンタクトが接触する部分の拡大図である。
【図１２】図１２（Ａ）は、コネクタ装置の上面図である。図１２（Ｂ）は、図１２（Ａ）のＤ−Ｄ断面図である。
【図１３】本発明の実施の形態２に係るコネクタ装置の斜視図である。
【図１４】図１３のプラグコネクタの構成を示す斜視図である。
【図１５】図１３のリセプタクルコネクタの構成を示す斜視図である。
【図１６】図１６（Ａ）は、上部シェルを取り除いたプラグコネクタの斜視図である。図１６（Ｂ）は、上部シェルの斜視図である。
【図１７】図１７（Ａ）は、上面シェル及びグランドバーを取り除いたプラグコネクタの上面図である。図１７（Ｂ）は、図１７（Ａ）のＥ−Ｅ断面図である。図１７（Ｃ）は、貫通孔周辺を拡大して示す斜視図である。
【図１８】上部シェルが装着される様子を示す図である。
【図１９】図１９（Ａ）は、プラグコネクタの上面図である。図１９（Ｂ）は、図１９（Ａ）のＦ−Ｆ断面図である。図１９（Ｃ）は、図１９（Ａ）のＦ−Ｆ断面斜視図である。
【図２０】図２０（Ａ）は、コネクタ装置の上面図である。図２０（Ｂ）は、図２０（Ａ）のＧ−Ｇ断面図である。
【発明を実施するための形態】
【００１６】
実施の形態１．
まず、本発明の実施の形態１について、図１〜図１２（Ｂ）を参照して詳細に説明する。
【００１７】
図１に示すように、このコネクタ装置１は、本実施の形態に係るコネクタとしてのプラグコネクタ１Ａ（図２等参照）と、相手コネクタとしてのリセプタクルコネクタ１Ｂ（図３等参照）と、を備える。プラグコネクタ１Ａは、一方向（ｘ軸方向）に配列された複数の同軸ケーブル（ケーブル）２の一端に接続される。一方、リセプタクルコネクタ１Ｂは、基板３に実装されている。プラグコネクタ１Ａとリセプタクルコネクタ１Ｂとが、嵌合することによって、コネクタ装置１は、同軸ケーブル２と基板３とを接続する。
【００１８】
プラグコネクタ１Ａは、図２に示すように、ハウジング１０Ａと、複数のコンタクト１１Ａから成るコンタクト列１１と、シェル１２Ａと、グランドバー１３と、を備える。本実施の形態に係るプラグコネクタ１Ａの特徴は、シェル１２Ａが、コンタクト列１１を構成するコンタクト１１Ａのうち、同軸ケーブル２と接続されていない第２のコンタクト１１Ａｂ（図５参照）と当接している点にある。
【００１９】
ハウジング１０Ａは、絶縁性の部材（例えば樹脂）で構成された筐体である。ハウジング１０Ａは、ｘ軸方向を長手方向として、一列に配列された全ての同軸ケーブル２と接続できるような長さとなっている。
【００２０】
コンタクト１１Ａは、例えば金属で構成された導電性の部材である。コンタクト１１Ａは、それぞれがｙ軸方向に延びるようにハウジング１０Ａ内に圧入され、ｘ軸方向に沿って一列に配列されている。このコンタクト１１Ａの配列により、コンタクト列１１が形成される。
【００２１】
シェル１２Ａは、例えば金属で構成された導電性の部材である。シェル１２Ａは、ハウジング１０Ａを覆うように形成されており、コンタクト列１１から発生する電磁波を遮蔽し外部に漏れるのを防止する。実際には、シェル１２Ａは、＋ｚ側の上側シェル１２Ａａと、−ｚ側の下側シェル１２Ａｂとが貼り合わされて構成される。
【００２２】
上側シェル１２Ａａは、図４（Ａ）に示すように、本体１２Ａａａと、本体１２Ａａａから張り出す板状片１２Ａａｂと、を有する。本体１２Ａａａは、ハウジング１０Ａの＋ｚ側を覆う。板状片１２Ａａｂは、本体１２Ａａａの−ｙ側の端部に設けられ、ｘ軸方向に間隔を置いて１０個配列されている。
【００２３】
図４（Ｂ）に示すように、板状片１２Ａａｂは、−ｚ方向に折り曲げられた後、さらに、＋ｚ方向に折り曲げられた形状、すなわちＵ字状又はＶ字状となっており、弾性力を有している。
【００２４】
上側シェル１２Ａａを取り除くと、プラグコネクタ１Ａの上面の構成は、図５に示すようになる。グランドバー１３は、図５及び図６に示すように、ｘ軸方向に延びる一対の導電性の部材であり、同軸ケーブル２の外部導体２２と接触し、同軸ケーブル２をｚ軸方向に挟み込んでいる。
【００２５】
本実施の形態では、隣接する一対の同軸ケーブル２を用いて差動信号が伝送される。コンタクト１１Ａは、図５に示すように、同軸ケーブル２と接続する信号伝送用コンタクトとしての第１のコンタクト１１Ａａと、同軸ケーブル２と接続していない接地用コンタクトとしての第２のコンタクト１１Ａｂとに分けられる。第２のコンタクト１１Ａｂが、コンタクト列１１の中で、同軸ケーブル２の内部導体２１に接続されていないコンタクト１１Ａである。第２のコンタクト１１Ａｂは、差動信号を伝送する一対の第１のコンタクト１１Ａａの両側に１本ずつ配置されている。
【００２６】
上述のように、シェル１２Ａの板状片１２Ａａｂは、図７及び図８に示すように、第２のコンタクト１１Ａｂに対応して設けられている。第１のコンタクト１１Ａａについては、シェル１２Ａとは当接しておらず、第１のコンタクト１１Ａａとシェル１２Ａとは、ハウジング１０Ａによって絶縁されている。
【００２７】
図９に示すように上側シェル１２Ａａを被せると、プラグコネクタ１ＡのＣ−Ｃ断面（図５参照）は、図１０に示す状態となる。上側シェル１２Ａａとグランドバー１３との間は、はんだ４０で接続される。板状片１２Ａａｂは、上述のようにＶ字状又はＵ字状に折れ曲がった弾性部材である。板状片１２Ａａｂは、図１０に示すように、その弾性力により第２のコンタクト１１Ａｂに押圧接触する。これにより、板状片１２Ａａｂを、第２のコンタクト１１Ａｂに、より確実に接続させることができる。
【００２８】
より詳細には、板状片１２Ａａｂは、第２のコンタクト１１Ａｂに向かって凸状に折れ曲がった折曲部３０を有しており、折曲部３０で第２のコンタクト１１Ａｂと押圧接触する。図１１に示すように、折曲部３０は、曲線状に折れ曲がった接触部分３１を有しており、この接触部分３１で、第２のコンタクト１１Ａｂと押圧接触する。これにより、折曲部３０は、弾性変形して第２のコンタクト１１Ａｂとの接点の位置がずれたとしても、ほぼ同じ接触面積かつ同程度の弾性力で、第２のコンタクト１１Ａｂと接触することができる。
【００２９】
続いて、リセプタクルコネクタ１Ｂの構成について説明する。リセプタクルコネクタ１Ｂは、図３に示すように、ハウジング１０Ｂと、複数のコンタクト１１Ｂと、シェル（導電性シェル）１２Ｂと、を備える。
【００３０】
ハウジング１０Ｂは、絶縁性の部材（例えば樹脂）で構成された細長の矩形板状の筐体である。ハウジング１０Ｂには、複数のコンタクト１１Ｂが収容される。
【００３１】
コンタクト１１Ｂは、例えば、金属製の導電性の部材である。コンタクト１１Ｂは、コンタクト１１Ａの配列に合わせて、ハウジング１０Ｂ内においてｘ軸方向に沿って一列に配列されている。これらコンタクト１１Ｂは、プラグコネクタ１Ａとリセプタクルコネクタ１Ｂとが嵌合したときに、プラグコネクタ１Ａの導電性のコンタクト１１Ａと一対一で接続する。コンタクト１１Ｂは、プラグコネクタ１Ａの第１のコンタクト１１Ａａと接続する第１のコンタクト１１Ｂａと、プラグコネクタ１Ａの第２のコンタクト１１Ａｂと接続する第２のコンタクト１１Ｂｂとに分けられる。第１のコンタクト１１Ｂａは、基板３の信号電極に接続されており、第２のコンタクト１１Ｂｂは、基板３のグランド電極に接続され、接地されている。
【００３２】
シェル１２Ｂは、複数のコンタクト１１Ｂと絶縁した状態で、ハウジング１０Ｂに配置され、嵌合したプラグコネクタ１Ａのシェル１２Ａと接続する導電性の部材である。シェル１２Ｂは、基板３のグランド電極と接続され、接地されている。
【００３３】
図１２（Ａ）及び図１２（Ｂ）に示すように、プラグコネクタ１Ａとリセプタクルコネクタ１Ｂとが嵌合すると、板状片１２Ａａｂの先端部分は、嵌合したリセプタクルコネクタ１Ｂの導電性のシェル１２Ｂに当接して＋ｙ方向に押圧される。これにより、板状片１２Ａａｂの折曲部３０の幅が縮んで、接触部分３１がさらに−ｚ側に変位しようとする。これにより、第２のコンタクト１１Ａｂへの板状片１２Ａａｂの押圧力をさらに強めることができる。
【００３４】
次に、コネクタ装置１の動作について説明する。
【００３５】
プラグコネクタ１Ａとリセプタクルコネクタ１Ｂとが嵌合すると、プラグコネクタ１Ａの第１のコンタクト１１Ａａとリセプタクルコネクタ１Ｂの第１のコンタクト１１Ｂａとが接触する。これにより、同軸ケーブル２の内部導体２１→第１のコンタクト１１Ａａ→第１のコンタクト１１Ｂａ→基板３の信号電極という信号の伝送線路が形成される。この伝送線路の対で差動信号が伝送される。なお、内部導体２１と第１のコンタクト１１Ａａとの間ははんだ４０で接続されている。
【００３６】
さらに、プラグコネクタ１Ａとリセプタクルコネクタ１Ｂとが嵌合すると、図１２（Ｂ）に示すように、プラグコネクタ１Ａのシェル１２Ａとリセプタクルコネクタ１Ｂのシェル１２Ｂとが接触する。これにより、同軸ケーブル２の外部導体２２→グランドバー１３→シェル１２Ａ→シェル１２Ｂ→基板３のグランド電極という接地用の伝送線路も形成される。また、コネクタ装置１の全体が接地されたシェル１２Ａ，１２Ｂによって覆われるようになるので、内部で生じた電磁波の外部への漏洩が防止される。
【００３７】
さらに、プラグコネクタ１Ａとリセプタクルコネクタ１Ｂとが嵌合すると、図１２（Ｂ）に示すように、シェル１２Ａに電気的に接続されたプラグコネクタ１Ａの第２のコンタクト１１Ａｂとリセプタクルコネクタ１Ｂの第２のコンタクト１１Ｂｂとが接触する。これにより、第２のコンタクト１１Ａｂは、第２のコンタクト１１Ｂｂを介して基板３のグランド電極に接続されるとともに、シェル１２Ａ、シェル１２Ｂを介して基板３のグランド電極に接続される。このように構成すれば、信号を伝送する第１のコンタクト１１Ａａ、第１のコンタクト１１Ｂａから発生したノイズは、第２のコンタクト１１Ａｂ，１１Ｂｂにさらに吸収されやすくなり、その結果クロストークが低減される。また、上述のような接地用の伝送線路が形成することにより、信号の伝送線路の共振周波数を変更することができるので、伝送される信号の周波数から共振周波数をずらすことが可能となる。
【００３８】
以上詳細に説明したように、本実施の形態によれば、接地された導電性のシェル１２Ａが、導電性の第２のコンタクト１１Ａｂに当接する。これにより、第２のコンタクト１１Ａｂとシェル１２Ａとが電気的に接続されて構成された接地用の伝送線路をプラグコネクタ１Ａ’内に形成し、信号の伝送線路の共振周波数を調整し易くなるので、より確実に電磁波の遮蔽とクロストークの低減を図ることができる。
【００３９】
実施の形態２．
まず、本発明の実施の形態２について、図１３〜図２０（Ｂ）を参照して詳細に説明する。
【００４０】
図１３に示すように、このコネクタ装置１’は、本実施の形態に係るコネクタとしてのプラグコネクタ１Ａ’（図１４等参照）と、相手コネクタとしてのリセプタクルコネクタ１Ｂ’（図１５等参照）と、を備える。プラグコネクタ１Ａ’は、一方向（ｘ軸方向）に配列された複数の同軸ケーブル２の一端に接続される。一方、リセプタクルコネクタ１Ｂ’は、基板３に実装されている。プラグコネクタ１Ａ’とリセプタクルコネクタ１Ｂ’とが、ｚ軸方向に嵌合することによって、コネクタ装置１’は、同軸ケーブル２と基板３とを接続する。
【００４１】
プラグコネクタ１Ａ’は、図１４、図１６（Ａ）及び図１６（Ｂ）に示すように、ハウジング１０Ａ’と、複数のコンタクト１１Ａ’から成るコンタクト列１１’と、シェル１２Ａ’と、グランドバー１３’と、を備える。本実施の形態に係るプラグコネクタ１Ａ’の特徴は、シェル１２Ａ’が、コンタクト列１１’を構成する複数のコンタクト１１Ａ’のうち、同軸ケーブル２と接続されていない第２のコンタクト１１Ａｂ’（図１７（Ａ）参照）と当接している点にある。
【００４２】
ハウジング１０Ａ’は、図１６（Ａ）に示すように、絶縁性の部材（例えば樹脂）で構成された筐体である。ハウジング１０Ａ’には貫通孔１０Ａａ’が設けられている。貫通孔１０Ａａ’は、−ｙ方向を向いた側面にｘ軸方向に沿って１４個配列されており、後述の第２のコンタクト１１Ａｂ’に対応して設けられている。なお、貫通孔１０Ａａ’の代わりに切り欠きが設けられていてもよい。
【００４３】
コンタクト１１Ａ’は、例えば金属で構成された導電性の部材である。コンタクト１１Ａ’は、それぞれがｙ軸方向に延びるようにハウジング１０Ａ’内に圧入され、ｘ軸方向に沿って一列に配列されている。このコンタクト１１Ａ’の配列により、コンタクト列１１’が形成される。
【００４４】
シェル１２Ａ’は、例えば金属で構成された導電性の部材である。シェル１２Ａ’は、ハウジング１０Ａ’を覆うように形成されており、コンタクト列１１’から発生する電磁波を遮蔽し、電磁波が外部に漏れるのを防止する。
【００４５】
シェル１２Ａ’は、図１６（Ｂ）に示すように、本体１２Ａａａ’と、本体１２Ａａａ’から張り出す板状片１２Ａａｂ’と、を有する。本体１２Ａａａ’は、ハウジング１０Ａ’の＋ｚ側を覆っている。板状片１２Ａａｂ’は、本体１２Ａａａ’の−ｙ方向を向いた側壁部分から−ｚ方向に曲げられ、更に＋ｙ方向に折り返すように形成されている（図１９（Ｂ），図１９（Ｃ）参照）。板状片１２Ａａｂ’は、ｘ軸方向に間隔を置いて１４個配列されている。シェル１２Ａ’の板状片１２Ａａｂ’は、貫通孔１０Ａａ’に対応して設けられている。
【００４６】
シェル１２Ａ’を取り除くと、プラグコネクタ１Ａ’の上面は、図１７（Ａ）に示すようになる。グランドバー１３’は、ｘ軸方向に延びる一対の導電性の部材であり、図１７（Ｂ）に示すように、同軸ケーブル２の外部導体２２と接触し、同軸ケーブル２をｚ軸方向に挟み込んでいる。
【００４７】
コンタクト１１Ａ’は、同軸ケーブル２と接続する信号伝送用コンタクトとしての第１のコンタクト１１Ａａ’と、同軸ケーブル２と接続していない接地用コンタクトとしての第２のコンタクト１１Ａｂ’とに分けられる。第２のコンタクト１１Ａｂ’が、コンタクト列１１’を構成するコンタクト１１Ａ’のうち、同軸ケーブル２の内部導体２１に接続されていないコンタクトである。
【００４８】
図１７（Ｃ）に示すように、ハウジング１０Ａ’の貫通孔１０Ａａ’により、第２のコンタクト１１Ａｂ’の一部は、外部と連通している。シェル１２Ａ’の板状片１２Ａａｂ’は、この貫通孔１０Ａａ’を通って、第２のコンタクト１１Ａｂ’と当接する。第１のコンタクト１１Ａａ’については、シェル１２Ａ’とは当接しておらず、第１のコンタクト１１Ａａ’とシェル１２Ａ’とは、ハウジング１０Ａ’によって絶縁されている。
【００４９】
図１８に示すように、ハウジング１０Ａ’等に対しシェル１２Ａ’を矢印の方向にスライドさせてハウジング１０Ａ’に装着すると、プラグコネクタ１Ａ’は、図１９（Ａ）に示すような構成となる。この状態で、図１９（Ｂ）に示すように、板状片１２Ａａｂ’は、貫通孔１０Ａａ’を通って、第２のコンタクト１１Ａｂ’に当接する。板状片１２Ａａｂ’は、その弾性力により、第２のコンタクト１１Ａｂ’に押圧接触し、第２のコンタクト１１Ａｂ’と導通する。
【００５０】
続いて、リセプタクルコネクタ１Ｂ’の構成について説明する。リセプタクルコネクタ１Ｂ’は、図１５に示すように、ハウジング１０Ｂ’と、複数のコンタクト１１Ｂ’と、シェル（導電性シェル）１２Ｂ’と、を備える。
【００５１】
ハウジング１０Ｂ’は、絶縁性の部材（例えば樹脂）で構成された細長の矩形板状の筐体である。ハウジング１０Ｂ’には、複数のコンタクト１１Ｂ’が収容される。
【００５２】
コンタクト１１Ｂ’は、例えば、金属製の導電性の部材である。コンタクト１１Ｂ’は、コンタクト１１Ａ’の配列に合わせて、ハウジング１０Ａ’内においてｘ軸方向に沿って一列に配列されている。これらコンタクト１１Ｂ’は、プラグコネクタ１Ａ’とリセプタクルコネクタ１Ｂ’とが嵌合すると、プラグコネクタ１Ａ’の導電性のコンタクト１１Ａ’と一対一で接続する。コンタクト１１Ｂ’は、第１のコンタクト１１Ａａ’と接続する第１のコンタクト１１Ｂａ’と、第２のコンタクト１１Ａｂ’と接続する第２のコンタクト１１Ｂｂ’とに分けられる。第１のコンタクト１１Ｂａ’は、基板３の信号電極に接続され、第２のコンタクト１１Ｂｂ’は、基板３のグランド電極に接続され、接地されている。
【００５３】
シェル１２Ｂ’は、複数のコンタクト１１Ｂ’と絶縁した状態で、ハウジング１０Ｂ’を覆うように配置され、嵌合したプラグコネクタ１Ａ’のシェル１２Ａ’と接続する導電性の部材である。シェル１２Ｂ’は、基板３のグランド電極と接続され、接地されている。
【００５４】
図２０（Ａ）及び図２０（Ｂ）に示すように、プラグコネクタ１Ａ’とリセプタクルコネクタ１Ｂ’とが嵌合すると、板状片１２Ａａｂ’の先端部分は、嵌合したリセプタクルコネクタ１Ｂ’の導電性のシェル（導電性シェル）１２Ｂ’に当接して＋ｙ方向に押圧される。これにより、板状片１２Ａａｂ’が＋ｙ方向にさらに変位しようとするので、第２のコンタクト１１Ａｂ’への板状片１２Ａａｂ’の押圧力をさらに強めることができる。
【００５５】
さらに、プラグコネクタ１Ａ’とリセプタクルコネクタ１Ｂ’とが嵌合すると、同軸ケーブル２の内部導体２１→第１のコンタクト１１Ａａ’→第１のコンタクト１１Ｂａ’→基板３の信号電極という信号の伝送線路が形成される。さらに、同軸ケーブル２の外部導体２２→グランドバー１３’→シェル１２Ａ’→シェル１２Ｂ’→基板３のグランド電極という接地用の伝送線路も形成される。また、コネクタ装置１’の全体が接地されたシェル１２Ａ’，１２Ｂ’によって覆われ、内部で生じた電磁波の外部への漏洩が防止される。さらに、シェル１２Ａ’に電気的に接続されたプラグコネクタ１Ａ’の第２のコンタクト１１Ａｂ’とリセプタクルコネクタ１Ｂ’の第２のコンタクト１１Ｂｂ’とが接触する。これにより、第２のコンタクト１１Ａｂ’は、第２のコンタクト１１Ｂｂ’を介して基板３のグランド電極に接続されるとともに、シェル１２Ａ’、シェル１２Ｂ’を介して基板３のグランド電極に接続される。この結果、信号を伝送する第１のコンタクト１１Ａａ’等で発生した電磁波は、他の信号の伝送線路に入射する前に第２のコンタクト１１Ａｂ’に吸収されるので、クロストークが低減される。また、上述のような接地用の伝送線路を形成することにより、信号の伝送線路の共振周波数を調整して、伝送される信号の周波数から共振周波数をずらし易くなる。
【００５６】
以上詳細に説明したように、本実施の形態によれば、接地された導電性のシェル１２Ａ’が、導電性の第２のコンタクト１１Ａｂ’に当接する。これにより、第２のコンタクト１１Ａｂ’とシェル１２Ａ’とが電気的に接続されて構成された接地用の伝送線路をプラグコネクタ１Ａ’内に形成することができるので、より確実に電磁波の遮蔽とクロストークの低減を図ることができる。
【００５７】
また、本実施の形態に係るプラグコネクタ１Ａ、１Ａ’は、電磁波を遮蔽し得る新規な構成を有するコネクタである。プラグコネクタ１Ａ、１Ａ’は、そのような構成を有しないコネクタに対して、信号を伝送する伝送線路の共振周波数が異なるようになる。これにより、例えば、伝送信号の周波数と異なる共振周波数を有するコネクタを選択するなどして、ユーザが様々なコネクタを選択する自由度を広げることができる。
【００５８】
なお、シェル１２Ａ，１２Ａ’と第２のコンタクト１１Ａｂ，１１Ａｂ’とを接続する方法としては、グランドバー１３，１３’から長細い針状の部材を張り出して第２のコンタクト１１Ａｂ，１１Ａｂ’と接触させる方法もある。しかしながら、シェル１２Ａ，１２Ａ’に板状片１２Ａａｂ，１２Ａａｂ’の方がそのような針状の部材よりも製造が容易である。
【００５９】
上記各実施の形態では、板状片１２Ａａｂ、１２Ａａｂ’を第２のコンタクト１１Ａｂ，１１Ａｂ’に押圧接触したが、本発明はこれには限られない。シェル１２Ａの本体部分の厚みを変更するなどして、その本体部分が第２のコンタクト１１Ａｂ，１１Ａｂ’に直接当接するようにしてもよい。
【００６０】
また、上記各実施の形態では、板状片１２Ａａｂ，１２Ａａｂ’を弾性部材とし、その弾性力により、第２のコンタクト１１Ａｂ，１１Ａｂ’へ押圧接触させたが、本発明はこれには限られない。例えば、板状片１２Ａａｂ，１２Ａａｂ’を第２のコンタクト１１Ａｂ，１１Ａｂ’にはんだ付け等するようにしてもよい。
【００６１】
また、上記各実施の形態では、板状片１２Ａａｂ，１２Ａａｂ’を折れ曲がったＵ字状又はＶ字状としたが、本発明はこれには限られない。例えば、シェルの板状片を、折れ曲がり部分のない平板としてもよい。
【００６２】
また、上記各実施の形態では、板状片１２Ａａｂ，１２Ａａｂ’の曲線状に折れ曲がった部分で、第２のコンタクト１１Ａｂ，１１Ａｂ’と押圧接触させたが、本発明はこれには限られない。例えば、板状片１２Ａａｂ，１２Ａａｂ’が、直線部分又は非連続に折れ曲がった部分で、第２のコンタクト１１Ａｂ，１１Ａｂ’と押圧接触するようにしてもよい。
【００６３】
また、上記各実施の形態では、板状片１２Ａａｂ，１２Ａａｂ’は、プラグコネクタ１Ａ、リセプタクルコネクタ１Ｂの嵌合の際、第２のコンタクト１１Ａｂ，１１Ａｂ’に対する押圧力が強まるように、嵌合したリセプタクルコネクタ１Ｂのシェル１２Ｂに当接して押圧されるようにした。しかしながら、本発明はこれには限られない。
【００６４】
また、上記実施の形態２では、ハウジング１０Ａ’に、板状片１２Ａａｂ’が通過する貫通孔１０Ａａ’が設けられたが、本発明はこれには限られない。板状片１２Ａａｂ’は、ハウジング１０Ａ’内を通過せず、板状片１２Ａａｂ’が、ハウジング１０Ａ’の縁を回りこんで第２のコンタクト１１Ａｂ’に接触するような構成としてもよい。
【００６５】
また、上記各実施の形態では、第１のコンタクト１１Ａａ，１１Ａａ’は、一対の構成で差動信号を伝送するものであったが、本発明はこれには限られない。１本の第１のコンタクト１１Ａａ，１１Ａａ’で信号を伝送するようにしてもよい。この場合も、第１のコンタクト１１Ａａ，１１Ａａ’の両側に第２のコンタクト１１Ａｂ，１１Ａｂ’を配設するのが望ましい。
【００６６】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００６７】
本発明は、複数の同軸ケーブルと基板とを接続するコネクタに適用することができ、特に高周波の信号を伝送するコネクタに適用することができる。
【符号の説明】
【００６８】
１，１’  コネクタ装置、１Ａ，１Ａ’  プラグコネクタ、１Ｂ，１Ｂ’  リセプタクルコネクタ、２  同軸ケーブル、３  基板、１０Ａ，１０Ａ’  ハウジング、１０Ａａ’  貫通孔、１０Ｂ，１０Ｂ’  ハウジング、１１，１１’  コンタクト列、１１Ａ，１１Ａ’  コンタクト、１１Ａａ，１１Ａａ’  第１のコンタクト、１１Ａｂ，１１Ａｂ’  第２のコンタクト、１１Ｂ，１１Ｂ’  コンタクト、１１Ｂａ，１１Ｂａ’  第１のコンタクト、１１Ｂｂ，１１Ｂｂ’  第２のコンタクト、１２Ａ，１２Ａ’  シェル、１２Ａａ  上側シェル、１２Ａａａ，１２Ａａａ’  本体、１２Ａａｂ，１２Ａａｂ’  板状片、１２Ａｂ  下側シェル、１２Ｂ，１２Ｂ’  シェル、１３，１３’  グランドバー、２１  内部導体、２２  外部導体、３０  折曲部、３１  接触部分、４０  はんだ
【図１】
2019009037.tif 000003
【図２】
2019009037.tif 000004
【図３】
2019009037.tif 000005
【図４】
2019009037.tif 000006
【図５】
2019009037.tif 000007
【図６】
2019009037.tif 000008
【図７】
2019009037.tif 000009
【図８】
2019009037.tif 000010
【図９】
2019009037.tif 000011
【図１０】
2019009037.tif 000012
【図１１】
2019009037.tif 000013
【図１２】
2019009037.tif 000014
【図１３】
2019009037.tif 000015
【図１４】
2019009037.tif 000016
【図１５】
2019009037.tif 000017
【図１６】
2019009037.tif 000018
【図１７】
2019009037.tif 000019
【図１８】
2019009037.tif 000020
【図１９】
2019009037.tif 000021
【図２０】
2019009037.tif 000022